(57)【要約】【課題】自動車の運転席のヘッドレストの構造を利用して運転者が着座した状態で、例えば、信号待ちの僅かな時間でも、また渋滞時間でも簡便に上半身トレーニングが可能に構成した上半身トレーニング具を提供せんとするものである。【解決手段】自動車のヘッドレストの支柱に係止する左右別個のフック部と、各フック部を連設した左右の伸縮バンドと、左右の伸縮バンドの中途にそれぞれに設けた左右バンド連結具とよりなることとした。【選択図】図１
2020025618.tif 000002
【特許請求の範囲】
【請求項１】
自動車のヘッドレストの支柱に係止する左右別個のフック部と、各フック部を連設した左右の伸縮バンドと、左右の伸縮バンドの中途にそれぞれに設けた左右バンド連結具とよりなる自動車内における上半身トレーニング具。
【請求項２】
左右の伸縮バンドの中途部で着用時の着用者の鎖骨近傍に当接する位置に左右緩衝体を設けたことを特徴とする請求項１に記載の自動車内における上半身トレーニング具。
【請求項３】
左右の伸縮バンドの中途部で着用時の着用者の肩に当接する部位に肩押し部を突設して体位のひねり運動に基づき伸縮バンドの肩押し部が肩のつぼを押圧可能にしたことを特徴とする請求項１又は請求項２に記載の自動車内における上半身トレーニング具。
【発明の詳細な説明】
【技術分野】
【０００１】
この発明は、自動車の運転中にシートのヘッドレストを利用して運転者の上半身をトレーニングできるトレーニング具に関する。
【背景技術】
【０００２】
従来、上半身或いは全身のトレーニング具としては多数の先願の特許出願がある。例えば、単に寝た状態で両肩から爪先に至る間をゴムチューブで連結して屈伸運動や足上げ運動を行うように構成した道具、椅子を利用して着座して特に上半身のトレーニングを行うように構成した運動具等がある（例えば、特許文献１乃至３参照。）。
【先行技術文献】
【特許文献】
【０００３】
【特許文献１】特表２００８−５３６５５１号公報
【特許文献２】特開２００９−２１９６５９号公報
【特許文献３】特開２０１５−６２４４号公報
【発明の概要】
【発明が解決しようとする課題】
【０００４】
特に、本発明に関連する運動具としては椅子に着座して行う上半身トレーニング具があるが、いずれも椅子に装置する構造が複雑であり、また、大容量のクッションやバンドを利用して椅子に装備するものであるためにコストもかかり、また運動のために余裕時間をもってトレーニングする必要があり、時間に追われるビジネスマンには不適な運動具であった。
【０００５】
この発明では、特に自動車の運転席のヘッドレストの構造を利用して運転者が着座した状態で、例えば、信号待ちの僅かな時間でも、また渋滞時間でも簡便に上半身トレーニングが可能に構成した上半身トレーニング具を提供せんとするものである。
【課題を解決するための手段】
【０００６】
この発明は、自動車のヘッドレストの支柱に係止する左右別個のフック部と、各フック部を連設した左右の伸縮バンドと、左右の伸縮バンドの中途にそれぞれに設けた左右バンド連結具とよりなる自動車内における上半身トレーニング具に関する。
【０００７】
また、右の伸縮バンドの中途部で着用時の着用者の鎖骨近傍に当接する位置に左右緩衝体を設けたことを特徴とする。
【０００８】
また、左右の伸縮バンドの中途部で着用時の着用者の肩部に当接する位置に肩押し部を突設して体位の変化に基づき伸縮バンドの肩押し部が肩部のつぼを押圧することを特徴とする。
【発明の効果】
【０００９】
請求項１に係る発明によれば、自動車のヘッドレストの支柱に係止する左右別個のフック部と、各フック部を連設した左右の伸縮バンドと、左右の伸縮バンドの中途にそれぞれに設けた左右バンド連結具とより構成したので、自動車に着座して使用できると共に、左右の肩や鎖骨部分のひねり運動及び上半身の前後屈伸運動等を左右の伸縮バンドの伸縮機能を利用して行うことができ、工夫次第で上半身にかかわる各部位のトレーニングも行うことができる効果がある。
【００１０】
しかも、左右の伸縮バンドの中途はバンド連結具で連結されているので伸縮バンドの伸縮作用を体格の各部におけるトレーニングに充分に機能させることができる効果がある。
【００１１】
更には、自動車シートに装着する機構も自動車のヘッドレストの支柱に係止する構造であるために簡便に装着でき全体の装着構造も簡単でコスト的にも有利となる効果がある。
【００１２】
請求項２の発明によれば、左右の伸縮バンドの中途部で着用時の着用者の鎖骨近傍に当接する位置に左右緩衝体を設けたことにより、上半身のひねり運動で負荷がかかる部分の緩衝を充分に行うことができ当該身体部位に無理な負荷を掛けるおそれを回避することができる。
【００１３】
請求項３の発明によれば、左右の伸縮バンドの中途部で着用時の着用者の肩に当接する部位に肩押し部を突設して体位のひねり運動に基づき伸縮バンドの肩押し部が肩のつぼを押圧可能にしたので、上半身のひねり運動の際に肩のつぼに肩押し部が当接して上半身のトレーニングと共に肩の血流を促進して肩凝りを解消することもできる効果がある。
【図面の簡単な説明】
【００１４】
【図１】本発明の上半身トレーニング具が取り付けられた状態の自動車の運転席を示す外観斜視図である。
【図２】本発明の上半身トレーニング具の構成を示す外観斜視図である。
【図３】本発明の上半身トレーニング具の構成を示す背面図である。
【図４】本発明の上半身トレーニング具の構成を示す側面図である。
【図５】本発明の上半身トレーニング具の構成を示す部分側面図である。
【図６】本発明の上半身トレーニング具の伸縮バンドを背面側からみた斜視図である。
【図７】本発明の上半身トレーニング具を運転手が装着した状態を示す正面図である。
【図８】本発明の上半身トレーニング具の使用状態を示す側面模式図である。
【図９】本発明の上半身トレーニング具の使用状態を示す側面模式図である。
【図１０】本発明の上半身トレーニング具の使用状態を示す側面模式図である。
【発明を実施するための形態】
【００１５】
この発明の要旨は、自動車のヘッドレストの支柱に係止する左右別個のフック部と、各フック部を連設した左右の伸縮バンドと、左右の伸縮バンドの中途にそれぞれに設けた左右バンド連結具とよりなる自動車内における上半身トレーニング具に関する。
【００１６】
また、左右の伸縮バンドの中途部で着用時の着用者の鎖骨近傍に当接する位置に左右緩衝体を設けたことを特徴とする。
【００１７】
また、左右の伸縮バンドの中途部で着用時の着用者の型部に当接する位置に肩押し部を突設して体位の変化に基づき伸縮バンドの肩押し部が肩部のつぼを押圧することを特徴とする。
【００１８】
本発明の上半身トレーニング具は、基本的には何らかの固定部材にフック部を介して左右伸縮バンドを取りつけ引張ってトレーニングを行うという構成を技術主体としている。
【００１９】
そして、この固定部材から環状の伸縮バンドを肩で引張ることにより引張応力が発生し、この引張応力によって生起する伸縮バンドの収縮負荷に抗して運転者が伸縮バンド引っ張って運動するという一連の応用力学を利用した上半身トレーニングが本発明の上半身トレーニング具の基本である。
【００２０】
なお、不要時には雄雌クリップの離脱操作により左右バンド連結具を外してフリーとなった左右伸縮バンドを両肩から取外し、そのままフック部で支柱に係合吊下したままでもよいし、フック部から取外して別途保管してもよい。
【００２１】
また、トレーニングに使用中に上半身の位置を適宜ずらして肩部分が伸縮バンドの肩押し部に当接するようにすれば運動しながら肩押し部によって肩つぼの刺激施術が可能となる。
【００２２】
このように本発明は、車内の限られたスペースにおいて、運転席に簡単に設置して使用することができる構成を備え、信号待ちの僅かな時間や渋滞時間を活用して簡便に上半身トレーニングを可能にし、健康増進を図ることができる技術である。
【００２３】
また、近年増加する災害時においては、車内泊を余儀なくされた避難生活者が本発明の上半身トレーニング具を使用することにより、上半身運動を手軽に行って血行改善をすることができ、長時間同じ姿勢でいることにより血流を悪化させて血栓ができ静脈を詰まらせてしまうことで生じる、いわゆる「エコノミークラス症候群」を回避できる技術であるとも言える。
【００２４】
以下、この発明の実施例を図面に基づき詳説する。図１は上半身トレーニング具が取り付けられた状態の自動車の運転席を示す外観斜視図、図２は上半身トレーニング具の構成を示す外観斜視図、図３は上半身トレーニング具の構成を示す背面図、図４は上半身トレーニング具の構成を示す側面図、図５は上半身トレーニング具の構成を示す部分側面図、図６は上半身トレーニング具の伸縮バンドを背面側からみた部分斜視図、図７は上半身トレーニング具を運転手が装着した状態を示す正面図、図８乃至図１０は上半身トレーニング具の使用状態を示す側面模式図である。
【００２５】
図１中、符号１００、１００’は自動車のヘッドレストにおける支柱を表す。シートＳの背もたれ部１０１の上端面から上下調整自在に2本の支柱１００、１００’を立設しその上端にヘッドレスト１０２を連設している。
【００２６】
かかるヘッドレスト１０２の左右の支柱１００、１００’に係合自在に本件発明の上半身トレーニング具Ａのフック部４０、４０’を係合している。トレーニング具Ａを取り外す時にはこのフック部４０、４０’を利用して取外せばよい。
【００２７】
本件発明の上半身トレーニング具の実施例について説明する。上半身トレーニング具Ａは、図１及び図２に示すように機能主体となる左右の伸縮バンド１０、１０’と、左右の伸縮バンド１０、１０’の中途にそれぞれに設けた左右バンド連結具３０とよりなる。
【００２８】
左右の伸縮バンド１０、１０’は、環状に形成しており、一定幅員の帯状の弾性ゴム素材から構成している。
【００２９】
また、必要に応じて左右伸縮バンド１０、１０’の長さ調整が可能な調整機構１１を、左右伸縮バンド１０、１０’の中途に設けることも可能である。本実施例の伸縮バンド１０は、図４及び図５に示すように両端部を調整機構１１としての調節バックル１２に掛け回して連結し、環状にしている。
【００３０】
具体的には、調節バックル１２は、後述する左右緩衝帯２０、２０’の下方位置で、左右緩衝帯２０、２０’に挿通した左右伸縮バンド１０、１０’の一端１０ａを掛け回し係合する上側調節バックル１２ａと、さらにその下方位置で上側調節バックル１２ａに掛け回した左右伸縮バンド１０、１０’の一端１０ａと、左右伸縮バンド１０、１０’の他端１０ｂとを掛け回し係合する下側調節バックル１２ｂとで構成している。
【００３１】
上半身トレーニング具Ａを着用する場合は、図７に示すように環状の左右の伸縮バンド１０、１０’中に運転者Ｐの左右の肩を挿入して左右の伸縮バンド１０、１０’の前面側が運転者の左右鎖骨近傍と当接するように構成している。
【００３２】
すなわち、鎖骨鎖骨近傍と当接する左右伸縮バンド１０、１０’の前面側の中途部には、左右緩衝帯２０、２０’を位置調整自在に設けている。
【００３３】
左右緩衝帯２０、２０’は、図２乃至図４に示すように正面視において中央狭幅とした細長ひょうたん状に形成した所定厚みを有するクッション板材であって、その板面を左右伸縮バンド１０、１０’の帯面と同一方向にして左右伸縮バンド１０、１０’を挿通可能に構成している。
【００３４】
左右緩衝帯２０、２０’の全周縁には、強度向上のための縁取部２３、２３’を形成している。
【００３５】
縁取部２３、２３’は、縁かがり加工により形成されたものであってもよく、本実施例では、左右緩衝帯２０、２０を周縁を被覆するナイロン生地を周縁に沿って表裏面で縫着形成している。
【００３６】
また、左右緩衝帯２０、２０’の裏面には、左右緩衝帯２０、２０’の長手方向に沿って複数の当接凸部２２、２２’を突出形成している。なお、当接凸部２２、２２’は、内部にコットンなどの不織布やスポンジを緩衝材として収納して形成している。
【００３７】
当接凸部２２、２２’は、左右緩衝帯２０、２０’の裏面において、左右緩衝帯２０、２０’の長手方向に沿って一定間隔を隔てて略ボタン状に複数突出すると共に左右緩衝帯２０、２０’裏面の上下部よりも中央部で小さくするなるように形成している。
【００３８】
当接凸部２２、２２’は、図３に示すように左右緩衝帯２０、２０’の裏面上下部で左右緩衝帯２０、２０’の幅方向に沿って幅広形成した正面視矩形状の上下凸部２２ａ、２２ｂ、２２ａ’、２２ｂ’と、左右緩衝帯２０、２０’の裏面中央部で左右緩衝帯２０、２０’の長手方向に沿って複数並列した正面視略正方形状の中央凸部２２ｃ、２２ｃ’とで構成している。
【００３９】
すなわち、中央凸部２２ｃ、２２ｃ’は略半球ドーム状の小ブロック体とすると共に上下凸部２２ａ、２２ｂ、２２ａ’、２２ｂ’は略蒲鉾ドーム状で中央凸部２２ｃ、２２ｃ’よりも大きい幅広ブロック体とし、図４に示すようにそれぞれの突出形状によりなす側面視半円弧の接線方向を左右緩衝帯２０、２０’の長手方向に沿うようにして左右緩衝帯２０、２０’の裏面に形成している。
【００４０】
また、中央凸部２２ｃ、２２ｃ’は、上下凸部２２ａ、２２ｂ、２２ａ’、２２ｂ’の肉厚よりも肉薄となるように形成している。
【００４１】
具体的には、側面視において、図４に示すように中央凸部２２ｃ、２２ｃ’の突出高さｈ１を上下凸部２２ａ、２２ｂ、２２ａ’、２２ｂ’の突出高さｈ２よりも低くなるようにしている。
【００４２】
このような構成により、上半身トレーニング具Ａと運転者の身体接触部位である左右鎖骨近傍の胸部や肩部において、上半身トレーニング具Ａの左右伸縮バンド１０の収縮に伴う上半身トレーニング具Ａから身体接触部位へ集中する応力を、当接凸部２２、２２’にて運転者の鎖骨近傍に線接触又は点接触させることにより分散させて緩衝機能を果たすことを確実としている。
【００４３】
特に、左右緩衝帯２０、２０’を細長ひょうたん状とすると共にその裏面に形成した当接凸部２２、２２’を大小異なる上下凸部２２ａ、２２ｂ、２２ａ’、２２ｂ’と中央凸部２２ｃ、２２ｃ’で構成しているために、左右伸縮バンド１０、１０’から左右緩衝帯２０、２０’へ伝わる左右異なるねじり応力に応じた左右緩衝帯２０、２０’の立体的な形態変形を可能としている。
【００４４】
すなわち、上半身トレーニング具Ａを使用した際に左右伸縮バンド１０、１０’から伝わる弾性応力に応じて、左右緩衝帯２０、２０’がそれぞれ中央部を中心に湾曲変形したりねじれ変形すること可能とし、運転者の左右鎖骨近傍の胸部や肩部の形状にフィットした形態変形を行うことを可能としている。
【００４５】
また、左右緩衝帯２０、２０’の表側には、図２及び図４に示すように伸縮バンド１０、１０’を挿通するためのバンド保持片２１、２１’を設けており、バンド保持片２１、２１’を介して左右緩衝帯２０、２０’を伸縮バンド面に沿ってスライドさせながら左右緩衝帯２０、２０’の位置調整を可能に構成している。
【００４６】
左右緩衝帯２０、２０’の表側に形成した伸縮バンド挿通用のバンド保持片２１、２１’は、一定間隔を隔てた上下部に二個設けている。
【００４７】
バンド保持片２１は、図２に示すように、略扁平長方形状であって、略同形同大の上下２つの上側片２１ａと下側片２１ｂとからなり、互いに係合可能に構成している。
【００４８】
上側片２１ａは、一側縁端を固定端として左右緩衝帯２０、２０’の表側外側縁に縫着している。一方で、下側片２１ｂは、上側片２１ａに対向するように他側縁端を固定端として左右緩衝帯２０、２０’の表側内側縁に縫着している。さらに、下側片２１ｂの上面と上側片２１ａの下面には、係合手段として互いに面当接して係合する雌雄面ファスナを設けている。
【００４９】
すなわち、バンド保持片２１は、左右緩衝帯２０、２０’の表側の上下部において、扁平略矩形状のナイロン生地からなる上下側片２１ａ、２１ｂ、２１ａ’、２１ｂ’を２枚、互い違いに上下に重なるように、それぞれ対向する一側縁基部で左右緩衝帯２０、２０’の左右側縁部に縫着するとともに互いの当接面に面ファスナを設けて構成している。
【００５０】
このような構成により、左右伸縮バンド１０、１０’の上方位置で同バンドを被覆するように下側片２１ｂを配置し、さらにその上方位置の上側片２１ａを下側片２１ｂに対して上方から面ファスナを介して締め付けるように係合し、バンド保持片２１の底面（下側片２１ｂの下面）と左右緩衝帯２０の上面とを左右伸縮バンド１０、１０’の表裏帯面に密着させ、左右緩衝帯２０の本体とバンド保持片２１との間に左右伸縮バンド１０、１０’を挟持することを可能としている。
【００５１】
また、バンド保持片２１の上下側片２１ａ、２１ｂにおける係合位置を左右方向にずらして左右緩衝帯２０、２０’の本体とバンド保持片２１との間に隙間空間を設けることにより、左右伸縮バンド１０、１０’と左右緩衝帯２０、２０’との接触割合を調節し、上半身トレーニング具Ａによる負荷調節機能を果たすことも可能である。
【００５２】
また、左右の左右緩衝帯２０、２０’は、それぞれ上下二個設けたバンド保持片２１、２１’間で露出した左右伸縮バンド１０、１０’を覆うように左右緩衝帯２０、２０’の上下中途部に介設した左右バンド連結具３０により一体に連結している。
【００５３】
すなわち、左右バンド連結具３０は前面中途部に設けた雄雌クリップ３２、３２’を介して着脱可能に構成しており、雄雌クリップ３２、３２’の脱着操作により運転者Ｐは左右伸縮バンド１０、１０’を両肩に装着固定したり取外したりすることができる。
【００５４】
具体的には、左右バンド連結具３０は、基端で左右緩衝帯２０、２０’の表面中央部に貼着される帯状ベルト３１、３１’と、帯状ベルト３１、３１’の先端に設けられた雄雌クリップ３２、３２’とにより構成している。
【００５５】
このような構成により運転者Ｐの両肩は環状の左右伸縮バンド１０、１０’の伸縮機能と胸元の前面における左右バンド連結具３０とにより肩を中心とした上半身に上半身トレーニング具Ａの確実な装着を可能としている。
【００５６】
かかる構成の左右伸縮バンド１０、１０’の所定位置には、図６に示すように支柱挿入開口部４１、４１’を弾性機能で開閉可能に構成した環体からなるフック部４０、４０’を連設しており、このフック部４０、４０’により左右伸縮バンド１０、１０’をヘッドレスト支柱１００、１００’に取外し自在に連結することができる。
【００５７】
また、フック部４０、４０’は、図４及び図６に示すように、その基部で回転軸４２を介して回転可能な左右伸縮バンド１０、１０’を挟持するバックル４３と連結している。
【００５８】
このような構成により、ヘッドレスト支柱１００、１００’に上半身トレーニング具Ａを装着して使用した際には、左右伸縮バンド１０、１０’の弾性変形に伴いフック部４０、４０’を介してヘッドレスト支柱１００、１００’に負荷される偏奇ねじれ応力に対応してバックル４３の回転させて、同偏奇ねじれ応力を解消することができる。
【００５９】
すなわち、左右伸縮バンド１０、１０’が中途で偏奇ねじれを生起することなく、従って、上半身トレーニング具Ａの使用状態において、左右緩衝帯２０、２０’の帯面を運転者の左右鎖骨近傍面に常時面当接させた左右緩衝帯２０、２０’のフィット形態を保持することができる。
【００６０】
また、左右の伸縮バンド１０、１０’の内側面中途部には、図３乃至図６に示すように着用時の着用者の肩に当接する位置に肩押し部５０、５０’を突設し、トレーニング中での体位の変化に基づき伸縮バンド１０、１０’の肩押し部５０、５０’が肩部のつぼを押圧可能に構成することができる。
【００６１】
すなわち、伸縮バンド１０、１０’の内側面中途部に山型や半円弧型のシリコン製やゴム製の肩押し部５０、５０’を突設しておくものであり、トレーニング中に上半身をずらしながら当接位置を調整することにより肩こり等の治療施術が可能となる。   
【００６２】
なお、この肩押し部５０、５０’は、伸縮バンド１０、１０’の帯面に対して繰り返し貼着可能な接着剤などの固定手段により取り外し可能に構成することもできる。
【００６３】
他の固定手段としては、例えば、互いに係合可能な雌雄ボタンをそれぞれ肩押し部５０、５０の底面及び伸縮バンド１０、１０’の帯面に設けたり、肩押し部５０、５０’の下底面中央に固定ピンを垂設すると共に伸縮バンド１０、１０’に固定ピンを挿入する固定ピン挿入孔を設けて構成することとしてもよい。
【００６４】
また、伸縮バンド１０、１０’は、例えば、上記ボタンや固定ピン挿入孔などの肩押し部固定部を幅方向中央線に沿って所定間隔を隔てて複数形成することにより、運転者の肩部に適合する伸縮バンド１０、１０’上における肩押し部５０、５０’固定位置を選択することができ、しかも複数の肩押し部５０、５０’を固定することができる。
【００６５】
本発明の上半身トレーニング具Ａは上記のように構成されており、使用に際しては図４で示したようにまず運転者Ｐが運転席に着座してヘッドレスト１０２の左右の支柱１００、１００’に本件発明の上半身トレーニング具Ａのフック部４０、４０’を係合する。
【００６６】
次いで、上半身トレーニング具Ａを着用する場合は環状の左右の伸縮バンド１０、１０’中に運転者Ｐの左右の肩を挿入し、図７に示すように左右の伸縮バンド１０、１０’の前面で左右緩衝帯２０、２０’を運転者の鎖骨近傍に当接させる。
【００６７】
なお、この際にバンド保持片２１、２１’を介して左右緩衝帯２０、２０’を伸縮バンド１０、１０’面に沿ってスライドさせながら左右緩衝帯２０、２０’の位置調整を行う。
【００６８】
次いで、左右緩衝帯２０、２０’の中途部に介設した左右バンド連結具３０の雄雌クリップ３２、３２’を係合して左右伸縮バンド１０、１０’を運転者Ｐの上半身に固定する。これで本件発明の上半身トレーニング具Ａの装着が、図７及び図８に示すように完了する。
【００６９】
この状態で運転者Ｐは、自動車走行時以外、すなわち、信号での一時停止中や渋滞停車中等において、図９及び図１０に示すように上半身を左右にひねりながら前方向或いは斜め方向に屈伸運動をすれば上半身の腕や肩や胸や腰等の筋肉の屈伸トレーニングが行える。
【００７０】
更には、自動車内でのトレーニングに限らず、オフイスでの着座したデスクワークにおいて椅子の背もたれ上端部にフック部４０を介して左右伸縮バンド１０、１０’を取りつけて同じようなトレーニングをすることも可能である。
【００７１】
また、車中でも必ずしも運転席での運転者のトレーニング以外で助手席での同乗者のトレーニングにも使用することが可能である。
【００７２】
基本的には、この本発明の上半身トレーニング具Ａは何らかの固定部材にフック部４０、４０’を介して左右伸縮バンド１０、１０’を取りつけ引張ってトレーニングを行うという構成を技術主体としている。
【００７３】
そして、この固定部材から環状の伸縮バンド１０、１０’を肩で引張ることにより引張応力が発生し、この引張応力によって生起する伸縮バンド１０、１０’の収縮負荷に抗して運転者が伸縮バンド引っ張って運動するという一連の応用力学を利用した上半身トレーニングが本件発明の上半身トレーニング具Ａの基本である。
【００７４】
なお、不要時には雄雌クリップ３２、３２’の離脱操作により左右バンド連結具３０を外してフリーとなった左右伸縮バンド１０、１０’を両肩から取外し、そのままフック部４０、４０’でヘッドレスト支柱１００、１００’に係合吊下したままでもよいし、フック部４０、４０’から取外して別途保管してもよい。
【００７５】
また、トレーニングに使用中に上半身の位置を適宜ずらして肩部分が伸縮バンド１０、１０’の肩押し部５０、５０’に当接するようにすれば運動しながら肩押し部によって肩つぼの刺激施術が可能となる。
【００７６】
このように、本発明によれば自動車の運転席のヘッドレストの構造を利用して運転者が着座した状態で、例えば、信号待ちの僅かな時間でも、また渋滞時間でも簡便に上半身トレーニングが可能に構成した上半身トレーニング具を提供することができる。
【００７７】
すなわち、本発明は、車内の限られたスペースにおいて、運転席に簡単に設置して使用することができる構成を備え、信号待ちの僅かな時間や渋滞時間を活用して簡便に上半身トレーニングを可能にし、健康増進を図ることができる効果がある。
【００７８】
また、近年増加する災害時においては、車内泊を余儀なくされた避難生活者が本発明の上半身トレーニング具を使用することにより、上半身運動を手軽に行って血行改善をすることができ、長時間同じ姿勢でいることにより血流を悪化させて血栓ができ静脈を詰まらせてしまうことで生じる、いわゆる「エコノミークラス症候群」を回避できる効果がある。
【符号の説明】
【００７９】
Ａ  上半身トレーニング具
１０、１０’  左右伸縮バンド
２０、２０’  左右緩衝帯
３０  左右バンド連結具
４０  フック部
１００  ヘッドレスト支柱
【図１】
2020025618.tif 000003
【図２】
2020025618.tif 000004
【図３】
2020025618.tif 000005
【図４】
2020025618.tif 000006
【図５】
2020025618.tif 000007
【図６】
2020025618.tif 000008
【図７】
2020025618.tif 000009
【図８】
2020025618.tif 000010
【図９】
2020025618.tif 000011
【図１０】
2020025618.tif 000012